(57)【要約】【課題】  床パン下地が共通化でき、タイルの種類も少なくできて、タイルの製造およびタイル張り施工の効率化が図れ、意匠性に優れた床パンを提供する。【解決手段】  水勾配の方向が異なる傾斜面Ｓ１，Ｓ２，Ｓ３間に、山形または谷形の稜線４ａ，４ｂ，５ａ，５ｂが形成されてなる床パン下地１において、稜線４ａ，４ｂ，５ａ，５ｂ上に、これらの稜線４ａ，４ｂ，５ａ，５ｂの山形または谷形に対応した、山形または谷形に形成された山形タイル７，７および谷形タイル６，６を貼設し、稜線４ａ，４ｂ，５ａ，５ｂを隠蔽させて、意匠性に優れた床パンに仕上げる。【選択図】  図１
2005113591.tif 000002
【特許請求の範囲】
【請求項１】
水勾配の方向が異なる傾斜面間に山形または谷形の稜線が形成されてなる床パン下地において、前記稜線上に、該稜線の山形または谷形に対応した山形または谷形に形成された仕上げ材を貼設したことを特徴とする床パン。
【請求項２】
水勾配の方向が異なる傾斜面間に山形または谷形の稜線が形成されてなる床パン下地の前記稜線上に貼設される仕上げ材であって、該仕上げ材は、前記稜線の山形または谷形に対応した山形または谷形に形成されていることを特徴とする床パン用仕上げ材。
【請求項３】
前記床パンには、一辺の中央に排水口が設けられ、該排水口に対面する辺のコーナーから斜め４５°の角度に谷形の稜線が形成されていることを特徴とする請求項１に記載の床パン。
【請求項４】
前記谷形の稜線が、前記排水口から対面する辺の中央に向かって延びる線または面とぶつかった位置から、逆斜め４５°の角度に山形の稜線が形成されていることを特徴とする請求項３に記載の床パン。
【請求項５】
排水口に対面する辺の中央から前記排水口に向けて、一定水勾配で一列状に平板形の仕上げ材が貼設されていることを特徴とする請求項３に記載の床パン。
【発明の詳細な説明】
【技術分野】
【０００１】
本発明は、床パンおよび床パン用仕上げ材に関するものである。
【背景技術】
【０００２】
従来、入り口に段差のないバリアフリーユニットバスにおいて、ドア位置の違うタイプ毎に、床パンの目皿位置およびタイル張りパターンを変えて、水勾配を調整しているものが存在する。
また、例えば特許文献１に開示されているように、水勾配の異なる多角形状の複数の傾斜面が形成されたバリアフリーユニットバスの床パン下地上に、タイル，石材等の仕上げ材を貼着する場合、水勾配の異なる傾斜面の接合部に沿って、タイル，石材を三角形状または台形状にして貼着した構造が存在する。
【特許文献１】特開２００２−３８５５９号公報
【発明の開示】
【発明が解決しようとする課題】
【０００３】
上記従来の、ドア位置の違うタイプ毎に、目皿位置，タイル張りパターンを変えて水勾配を調整していたバリアフリーユニットバスにおいては、床パン下地の共通化ができないという問題点があった。
なお、目皿位置を固定し、床パン下地を一つの形状に共通化させると、水勾配の異なる複数の傾斜面の接合部に、水勾配稜線ができてしまうこととなるが、このような水勾配稜線が存在しても、１００角タイル程度なら、多少のがたつきを調整して何とか貼設することができる。
【０００４】
しかし、２００角のタイルを貼着しようとすると、水勾配稜線を跨ぐ部分で、がたつきが大きくなり、奇麗にタイルを貼ることができないこととなる。この場合、前記特許文献１に開示されているように、２００角タイルを切断して三角形状または台形状にすれば、がたつくことなく貼着することができるが、その場合には、水勾配稜線上に斜めに目地が入ってしまい、意匠性が悪くなってしまうという問題点があった。
【課題を解決するための手段】
【０００５】
本発明は上記従来の問題点に鑑み案出したものであって、床パン下地を共通化でき、しかも、水勾配稜線上に斜めに目地が入ってしまうことがない、意匠性に優れた床パンおよび床パン用仕上げ材を提供せんとするものであり、請求項１は、水勾配の方向が異なる傾斜面間に山形または谷形の稜線が形成されてなる床パン下地において、前記稜線上に、該稜線の山形または谷形に対応した山形または谷形に形成された仕上げ材を貼設したことである。
【０００６】
また、請求項２の床パン用仕上材は、水勾配の方向が異なる傾斜面間に山形または谷形の稜線が形成されてなる床パン下地の前記稜線上に貼設される仕上げ材であって、該仕上げ材は、前記稜線の山形または谷形に対応した山形または谷形に形成されていることである。
【０００７】
また、請求項３は、前記床パンには、一辺の中央に排水口が設けられ、該排水口に対面する辺のコーナーから斜め４５°の角度に谷形の稜線が形成されていることである。
【０００８】
また、請求項４は、前記谷形の稜線が、前記排水口から対面する辺の中央に向かって延びる線または面とぶつかった位置から、逆斜め４５°の角度に山形の稜線が形成されていることである。
【０００９】
また、請求項５は、排水口に対面する辺の中央から前記排水口に向けて、一定水勾配で一列状に平板形の仕上げ材が貼設されていることである。
【発明の効果】
【００１０】
本発明は、床パン下地の稜線上に、山形または谷形に形成された仕上げ材を貼設したことにより、仕上げ材を稜線に沿って切断することなく、がたつくことなく奇麗に貼着することができ、稜線上に目地が入ることもなく、意匠性に優れた床を形成させることができる。また、床パン下地を共通化させてコストを低減させることができるものとなる。
【００１１】
また、床パン用仕上げ材は、稜線の山形または谷形に対応した山形または谷形に形成されていることにより、山形の仕上げ材を一種類と、谷形の仕上げ材を一種類と、平形の仕上げ材を一種類用意しておけば、稜線上には、山形または谷形の仕上げ材をがたつくことなく良好に貼着することができ、また、その他の部位には平形の仕上げ材を貼着して、意匠性に優れた床パンを形成させることができ、仕上げ材の種類を３種類にすることができて、仕上げ材の製造コストを低減させることができ、また、仕上げ材の施工も容易なものとなる。
【実施例】
【００１２】
以下、本発明の実施例を図面に基づいて説明する。
図１〜図８は、マンション用のバリアフリーユニットバスの床パンの平面図を示すものであり、図１は、１２１６サイズのものである。
また図２は、１２１８サイズのものである。
また図３は、１３１７サイズのものである。
また図４は、１４１６サイズのものである。
また図５は、１４１８サイズのものである。
また図６は、１６１８サイズのものである。
また図７は、１６２０サイズのものである。
また図８は、１８２２サイズのものである。
【００１３】
これらの床パン１は、浴槽側の浴槽側辺１ａと、浴槽側辺１ａと平行状に対面する入り口側辺１ｂと、左右の左側面辺１ｃ，右側面辺１ｄで長方形状に形成されており、浴槽側辺１ａの中央部には、排水口２が設けられている。
また、入り口側辺１ｂの中央部から、排水口２に向かって、１／４５の水勾配の中央平タイル面３が形成されており、この中央平タイル面３には、入り口側辺１ｂから排水口２側に向かって、一列状に平板形のタイルが貼着されるものである。
【００１４】
床パン１の下地には、入り口側辺１ｂと左右の側面辺１ｃ，１ｄとが交差する左右のコーナーから、斜め４５°の角度に谷形の谷稜線４ａ，４ｂが左右対称に形成されており、この左右の谷稜線４ａ，４ｂが中央平タイル面３とぶつかった位置から、逆斜め４５°の角度に山形の山稜線５ａ，５ｂが左右対称に形成されている。
入り口側辺１ｂと左谷稜線４ａと右谷稜線４ｂで囲まれた部分には、裁頭三角形状の第１水勾配面Ｓ１が形成されている。
また、左谷稜線４ａと左山稜線５ａと左側面辺１ｃに囲まれた部分、および、右谷稜線４ｂと右山稜線５ｂと右側面辺１ｄで囲まれた部分には、左右対称状に第２水勾配面Ｓ２，Ｓ２が形成されている。
また、左右の山稜線５ａ，５ｂから排水口２に向かう第３水勾配面Ｓ３，Ｓ３が左右対称状に形成されている。
【００１５】
第１水勾配面Ｓ１と第２水勾配面Ｓ２と第３水勾配面Ｓ３は、それぞれ水勾配の方向が異なるものとなっており、矢印で示すように、入り口側辺１ｂから第１水勾配面Ｓ１に沿って、排水口２側へ水が流されるものである。
また、左右の側面辺１ｃ，１ｄから中央側へ向かって、それぞれ第２水勾配面Ｓ２，Ｓ２上を水が流されるものであり、これらの水は第３水勾配面Ｓ３，Ｓ３で流れを変えて排水口２内に流入されるように構成されている。
【００１６】
このように、サイズごとにそれぞれ床パン１の下地は共通化されて、排水口２の位置は固定されており、床パン１の入り口側辺１ｂ，左側面辺１ｃ，右側面辺１ｄは、それぞれ同じ高さに形成されており、どの位置に入り口ドアが設けられても、段差のないバリアフリーの床となるように設定されており、入り口ドアは現場に対応して、Ｄ１，Ｄ２，Ｄ３，Ｄ４の何れかの位置に設置されるものである。
このように、サイズごとに共通化されて形成された床パン１の下地には、水勾配の方向が異なる水勾配面Ｓ１，Ｓ２，Ｓ３が形成され、これらの水勾配面Ｓ１，Ｓ２，Ｓ３の接合する部分に、前述した谷稜線４ａ，４ｂ、および山稜線５ａ，５ｂが形成されており、この谷稜線４ａ，４ｂおよび山稜線５ａ，５ｂ上に、がたつくことなく奇麗に貼ることのできるタイルが用意されている。
【００１７】
谷稜線４ａ，４ｂ上に貼着される谷形タイルは、図９の平面図で、また、図１０にＡ−Ａ線断面図で示すような形状に形成されている。
谷形タイル６は、一辺が１９７．７５mmの正方形状に形成され、対角線に沿って窪み状に谷部６ａが形成されており、この谷部６ａは、Ｒ１０００の曲率半径で湾曲して窪んでおり、谷部６ａの幅方向両端側の接線Ｐ，Ｐから外側に向かっては、平らな平部６ｂ，６ｂが形成されている。この平部６ｂの上面と谷部６ａの底面間の窪み寸法は、２．２mmとなっている。
【００１８】
一方、山稜線５ａ，５ｂ上に貼着される山形タイルは、図１１の平面図で、また、図１２にＡ−Ａ線断面図で示すような形状に形成されている。
この山形タイル７も、一辺が１９７．７５mmの正方形状に形成され、対角線に沿って上方へ盛り上った山部７ａが形成されており、この山部７ａは、Ｒ１０００の曲率半径で湾曲して盛り上っており、山部７ａの幅方向両端側の接線Ｐ，Ｐから外側に向かっては、平らな平部７ｂ，７ｂが形成されている。この山部７ａの頂上と、平部７ｂ間の上下高さ寸法は２．２mmとなっている。
【００１９】
なお、この山形タイル７および前記谷形タイル６は、例えば５mmの厚みに形成されており、一般的な２００角の平形タイルと同一形状に形成されて、焼成時に、谷形タイル６の場合には、谷部６ａに相当する窪みを備えたベース上に載せられて焼かれることにより、良好に谷部６ａが形成されるものである。
また、山形タイル７の場合は、焼成時に、山部７ａに相当する凸部を備えたベース上に載せられて焼かれることで、良好に山部７ａが形成されるのである。
【００２０】
このような谷形タイル６は、左谷稜線４ａ上および右谷稜線４ｂ上に、がたつくことなく貼ることができるものであり、貼った状態では、左右の谷稜線４ａ，４ｂは隠蔽され、すっきりとした意匠性に優れた床パン１となる。
即ち、谷形タイル６の谷部６ａが谷稜線４ａ，４ｂ上に沿って配置され、外側の平部６ｂが第１水勾配面Ｓ１および第２水勾配面Ｓ２上に貼着されて、がたつくことなく奇麗に貼ることができ、谷稜線４ａ，４ｂが隠されるものとなる。
【００２１】
また、山稜線５ａ，５ｂ上には、山形タイル７が貼着され、山形タイルの山部７ａが山稜線５ａ，５ｂ上に沿って配置されて、山形タイル７の平部７ｂ，７ｂが第２水勾配面Ｓ２および第３水勾配面Ｓ３上にぴったりと貼着されて、がたつくことなく奇麗に山形タイル７を貼着することができ、山形タイル７で山稜線５ａ，５ｂを隠して、すっきりとした意匠性に優れた床パン１を形成することができるものとなる。
【００２２】
この谷形タイル６と山形タイル７を貼着する部分以外には、通常の２００角の平形タイルを貼着して仕上げることができるものである。
従って、谷形タイル６と、山形タイル７と、通常の平形タイルの３種類を用意しておけば、サイズの異なる複数種類の床パン１の下地に対して、良好にタイル仕上げをすることができるものとなり、タイルの製造コストが低減し、またタイル張り施工が容易となって、施工の効率化が図れるものとなる。
【００２３】
次に、図１３〜図１６は、タイルの割り付け状態を変更させた場合の床パン１の平面構成図である。
図１３は、１２１６サイズのものであり、図１４は、１２１８サイズのものであり、図１５は、１６１８サイズのものであり、図１６は、１６２０サイズのものである。
図１３〜図１６においても、浴槽側辺１ａの中央部に排水口２が設けられているが、この排水口２の中心部に向かって、入り口側辺１ｂの中央から中央線３ａが形成されており、図１〜図８のような中央平タイル面３は存在しないものとなっている。
【００２４】
床パン１の下地には、入り口側辺１ｂの左右のコーナー部から斜め４５°の角度で、左右の谷稜線４ａ，４ｂが形成されており、この左右の谷稜線４ａ，４ｂがそれぞれ中央線３ａとぶつかった位置から、逆斜め４５°の角度に、山形の山形稜線５ａ，５ｂが左右に形成されている。
左右の谷稜線４ａ，４ｂ上には、前述した谷形タイル６，６，６が貼着されるものであり、また、左右の山稜線５ａ，５ｂ上には、山形タイル７，７が貼着されるものである。
従って、タイルが貼着された状態では、谷稜線４ａ，４ｂおよび山稜線５ａ，５ｂはタイルに隠蔽されて隠されることとなり、すっきりとした意匠性に優れた床パン１が得られるものとなる。
【００２５】
この図１３〜図１６のタイルの割り付け構成では、入り口側辺１ｂのコーナー側から２００角タイルを切断することなく、そのままの寸法で貼着することができ、よりすっきりとしたタイルの割り付け状態が得られるものとなる。
しかし、排水口２の周囲ではタイルに切欠きを形成させる必要がある。
なお、この図１３〜図１６に示すタイルの割り付け構成では、ユニットバスの側壁面に貼着される４００角のタイルの目地と整合させることができ、床パン１のタイルの目地と壁のタイルの目地が一直線となって、よりすっきりとしたタイル壁面が得られるものとなる。
なお、本例ではタイルを貼着する場合を例示しているが、タイルに代えて、石材であっても、同様な構成で、がたつくことなく意匠性に優れた貼着状態が得られるものである。
【図面の簡単な説明】
【００２６】
【図１】１２１６サイズの床パンの平面構成図である。
【図２】１２１８サイズの床パンの平面構成図である。
【図３】１３１７サイズの床パンの平面構成図である。
【図４】１４１６サイズの床パンの平面構成図である。
【図５】１４１８サイズの床パンの平面構成図である。
【図６】１６１８サイズの床パンの平面構成図である。
【図７】１６２０サイズの床パンの平面構成図である。
【図８】１８２２サイズの床パンの平面構成図である。
【図９】谷形タイルの平面構成図である。
【図１０】図９のＡ−Ａ線断面図である。
【図１１】山形タイルの平面構成図である。
【図１２】図１１のＡ−Ａ線断面図である。
【図１３】タイルの割り付けを変更させた１２１６サイズの床パンの平面構成図である。
【図１４】タイルの割り付けを変更させた１２１８サイズの床パンの平面構成図である。
【図１５】タイルの割り付けを変更させた１６１８サイズの床パンの平面構成図である。
【図１６】タイルの割り付けを変更させた１６２０サイズの床パンの平面構成図である。
【符号の説明】
【００２７】
１    床パン
１ａ    浴槽側辺
１ｂ    入り口側辺
１ｃ    左側面辺
１ｄ    右側面辺
２    排水口
３    中央平タイル面
４ａ    左谷稜線
４ｂ    右谷稜線
５ａ    左山稜線
５ｂ    右山稜線
６    谷形タイル
６ａ    谷部
６ｂ    平部
７    山形タイル
７ａ    山部
７ｂ    平部
Ｓ１    第１水勾配面
Ｓ２    第２水勾配面
Ｓ３    第３水勾配面
Ｄ１，Ｄ２，Ｄ３，Ｄ４    入り口ドア
【図１】
2005113591.tif 000003
【図２】
2005113591.tif 000004
【図３】
2005113591.tif 000005
【図４】
2005113591.tif 000006
【図５】
2005113591.tif 000007
【図６】
2005113591.tif 000008
【図７】
2005113591.tif 000009
【図８】
2005113591.tif 000010
【図９】
2005113591.tif 000011
【図１０】
2005113591.tif 000012
【図１１】
2005113591.tif 000013
【図１２】
2005113591.tif 000014
【図１３】
2005113591.tif 000015
【図１４】
2005113591.tif 000016
【図１５】
2005113591.tif 000017
【図１６】
2005113591.tif 000018